【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
通信媒体上に接続された各種の機器とデータ通信可能なデータ処理装置であって、
所望の機器に対する特定の画像処理条件を設定する第１の設定手段と、
前記データ処理装置で実行可能な特定の画像処理条件を設定する第２の設定手段と、
前記第１，第２の設定手段による各特定の画像処理条件に基づいていずれかの機器から入力される画像情報に対して特定の画像編集処理を実行する画像処理手段と、
前記画像処理手段により画像処理された画像情報をいずれかの機器から出力させる制御手段と、
を有することを特徴とするデータ処理装置。
【請求項２】
前記画像処理手段は、前記第２の設定手段により設定される特定の画像処理条件に基づいて各種の機器から入力される画像データに対してイメージエフェクト編集処理，スタンプ付加編集処理を含む特定の画像処理を実行することを特徴とする請求項１記載のデータ処理装置。
【請求項３】
前記機器は、プリンタ装置，ファクシミリ装置，デジタル複写装置，スキャナ装置，デジタルカメラ装置，モデム装置を含むことを特徴とする請求項１記載のデータ処理装置。
【請求項４】
前記制御手段は、画像編集した画像情報あるいはいずれかの機器から入力された画像情報を他の機器に出力することを特徴とする請求項１記載のデータ処理装置。
【請求項５】
通信媒体上に接続された各種の機器とデータ通信可能なデータ処理装置におけるデータ処理方法であって、
所望の機器に対する特定の画像処理条件を設定する第１の設定工程と、
前記データ処理装置で実行可能な特定の画像処理条件を設定する第２の設定工程と、
前記第１，第２の設定工程による各特定の画像処理条件に基づいていずれかの機器から入力される画像情報に対して特定の画像編集処理を実行する画像処理工程と、
前記画像処理工程により画像処理された画像情報をいずれかの機器から出力させる出力工程と、
を有することを特徴とするデータ処理方法。
【請求項６】
前記画像処理工程は、前記第２の設定工程により設定される特定の画像処理条件に基づいて各種の機器から入力される画像データに対してイメージエフェクト編集処理，スタンプ付加編集処理を含む特定の画像処理を実行することを特徴とする請求項５記載のデータ処理方法。
【請求項７】
前記機器は、プリンタ装置，ファクシミリ装置，デジタル複写装置，スキャナ装置，デジタルカメラ装置，モデム装置を含むことを特徴とする請求項５記載のデータ処理方法。
【請求項８】
前記出力工程は、画像編集した画像情報あるいはいずれかの機器から入力された画像情報を他の機器に出力することを特徴とする請求項５記載のデータ処理方法。
【請求項９】
通信媒体上に接続された各種の機器とデータ通信可能なデータ処理装置を制御するコンピュータが読み出し可能なプログラムを格納した記憶媒体であって、
所望の機器に対する特定の画像処理条件を設定する第１の設定工程と、
前記データ処理装置で実行可能な特定の画像処理条件を設定する第２の設定工程と、
前記第１，第２の設定工程による各特定の画像処理条件に基づいていずれかの機器から入力される画像情報に対して特定の画像編集処理を実行する画像処理工程と、
前記画像処理工程により画像処理された画像情報をいずれかの機器から出力させる出力工程と、
を有することを特徴とするコンピュータが読み出し可能なプログラムを格納した記憶媒体。
【請求項１０】
前記画像処理工程は、前記第２の設定工程により設定される特定の画像処理条件に基づいて各種の機器から入力される画像データに対してイメージエフェクト編集処理，スタンプ付加編集処理を含む特定の画像処理を実行することを特徴とする請求項９記載のコンピュータが読み出し可能なプログラムを格納した記憶媒体。
【請求項１１】
前記機器は、プリンタ装置，ファクシミリ装置，デジタル複写装置，スキャナ装置，デジタルカメラ装置，モデム装置を含むことを特徴とする請求項９記載のコンピュータが読み出し可能なプログラムを格納した記憶媒体。
【請求項１２】
前記出力工程は、画像編集した画像情報あるいはいずれかの機器から入力された画像情報を他の機器に出力することを特徴とする請求項９記載のコンピュータが読み出し可能なプログラムを格納した記憶媒体。
【請求項１３】
通信媒体上に接続された各種の機器とデータ通信可能なデータ処理装置であって、
前記機器にて実行可能な拡張機能に関する情報を、前記データ通信路を介して取得する取得手段と、
前記取得手段により取得される前記情報に基づいて、表示装置の表示画面の第１の領域に、前記機器にて実行可能な前記拡張機能に対応する第１の機能ボタンを表示させる表示制御手段とを有し、
前記表示制御手段は、前記機器にて実行可能な拡張機能に対応する第１の機能ボタンと共に、前記データ処理装置にて実行可能な機能に対応する第２の機能ボタンを、前記表示画面の前記第１の領域に配列表示させることを特徴とするデータ処理装置。
【請求項１４】
前記第１の機能ボタン及び前記第２の機能ボタンを含む複数の機能ボタンの前記表示画面の前記第１の領域における配列順序を変更する変更手段をさらに有することを特徴とする請求項１３記載のデータ処理装置。
【請求項１５】
通信媒体上に接続された各種の機器とデータ通信可能なデータ処理装置におけるデータ処理方法であって、
前記機器にて実行可能な拡張機能に関する情報を、前記データ通信路を介して取得する取得工程と、
前記取得工程において取得される前記情報に基づいて、表示装置の表示画面の第１の領域に、前記機器にて実行可能な前記拡張機能に対応する第１の機能ボタンを表示させる表示制御工程とを有し、
前記表示制御工程は、前記機器にて実行可能な拡張機能に対応する第１の機能ボタンと共に、前記データ処理装置にて実行可能な機能に対応する第２の機能ボタンを、前記表示画面の前記第１の領域に配列表示させることを特徴とするデータ処理方法。
【請求項１６】
通信媒体上に接続された各種の機器とデータ通信可能なデータ処理装置を制御するコンピュータが読みと出し可能なプログラムを格納した記憶媒体であって、
前記機器にて実行可能な拡張機能に関する情報を、前記データ通信路を介して取得する取得工程と、
前記取得工程において取得される前記情報に基づいて、表示装置の表示画面の第１の領域に、前記機器にて実行可能な前記拡張機能に対応する第１の機能ボタンを表示させる表示制御工程とを有し、
前記表示制御工程は、前記機器にて実行可能な拡張機能に対応する第１の機能ボタンと共に、前記データ処理装置にて実行可能な機能に対応する第２の機能ボタンを、前記表示画面の前記第１の領域に配列表示させることを特徴とするコンピュータが読出し可能なプログラムを格納した記憶媒体。
【手続補正２】
【補正対象書類名】明細書
【補正対象項目名】０００６
【補正方法】変更
【補正の内容】
【０００６】
本発明は、上記の問題点を解決するためになされたもので、本発明の第１の目的は、機器に対して設定される画像処理条件とデータ処理装置本体に対して設定される画像処理条件とに基づいて機器から入力される画像情報に対して画像処理を施して、いずれかの機器から出力させることにより、簡単な操作で、ネットワーク上の各機器を使用し、かつ、データ処理装置本体のアプリケーションによる画像処理を施した複合画像処理結果をユーザが意図する出力デバイスとなるいずれかの機器から出力させることができるデータ処理装置およびデータ処理方法およびコンピュータが読み出し可能なプログラムを格納した記憶媒体を提供することである。
また、第２の目的は、機器にて実行可能な拡張機能に関する情報を、データ通信路を介して取得し、該取得される前記情報に基づいて、表示装置の表示画面の第１の領域に、前記機器にて実行可能な前記拡張機能に対応する第１の機能ボタンを表示させる場合、機器にて実行可能な拡張機能に対応する第１の機能ボタンと共に、前記データ処理装置にて実行可能な機能に対応する第２の機能ボタンを、前記表示画面の第１の領域に配列表示させることにより、機器にて実行可能な拡張機能に対応する第１の機能ボタンと、前記データ処理装置にて実行可能な機能に対応する第２の機能ボタンとを関連性を操作する者が容易に視認できる操作環境を自在に構築できるデータ処理装置およびデータ処理方法およびコンピュータが読み出し可能なプログラムを格納した記憶媒体を提供することである。


【手続補正３】
【補正対象書類名】明細書
【補正対象項目名】０００７
【補正方法】変更
【補正の内容】
【０００７】
【課題を解決するための手段】
本発明に係る第１の発明は、通信媒体上に接続された各種の機器とデータ通信可能なデータ処理装置であって、所望の機器に対する特定の画像処理条件を設定する第１の設定手段と、前記データ処理装置で実行可能な特定の画像処理条件を設定する第２の設定手段と、前記第１，第２の設定手段による各特定の画像処理条件に基づいていずれかの機器から入力される画像情報に対して特定の画像編集処理を実行する画像処理手段と、前記画像処理手段により画像処理された画像情報をいずれかの機器から出力させる制御手段とを有することを特徴とする。


【手続補正４】
【補正対象書類名】明細書
【補正対象項目名】０００８
【補正方法】変更
【補正の内容】
【０００８】
本発明に係る第２の発明は、前記画像処理手段は、前記第２の設定手段により設定される特定の画像処理条件に基づいて各種の機器から入力される画像データに対してイメージエフェクト編集処理，スタンプ付加編集処理を含む特定の画像処理を実行することを特徴とする。


【手続補正５】
【補正対象書類名】明細書
【補正対象項目名】０００９
【補正方法】変更
【補正の内容】
【０００９】
本発明に係る第３の発明は、前記機器は、プリンタ装置，ファクシミリ装置，デジタル複写装置，スキャナ装置，デジタルカメラ装置，モデム装置を含むことを特徴とする。


【手続補正６】
【補正対象書類名】明細書
【補正対象項目名】００１０
【補正方法】変更
【補正の内容】
【００１０】
本発明に係る第４の発明は、前記制御手段は、画像編集した画像情報あるいはいずれかの機器から入力された画像情報を他の機器に出力することを特徴とする。


【手続補正７】
【補正対象書類名】明細書
【補正対象項目名】００１１
【補正方法】変更
【補正の内容】
【００１１】
本発明に係る第５の発明は、通信媒体上に接続された各種の機器とデータ通信可能なデータ処理装置におけるデータ処理方法であって、所望の機器に対する特定の画像処理条件を設定する第１の設定工程と、前記データ処理装置で実行可能な特定の画像処理条件を設定する第２の設定工程と、前記第１，第２の設定工程による各特定の画像処理条件に基づいていずれかの機器から入力される画像情報に対して特定の画像編集処理を実行する画像処理工程と、前記画像処理工程により画像処理された画像情報をいずれかの機器から出力させる出力工程と、を有することを特徴とする。


【手続補正８】
【補正対象書類名】明細書
【補正対象項目名】００１２
【補正方法】変更
【補正の内容】
【００１２】
本発明に係る第６の発明は、前記画像処理工程は、前記第２の設定工程により設定される特定の画像処理条件に基づいて各種の機器から入力される画像データに対してイメージエフェクト編集処理，スタンプ付加編集処理を含む特定の画像処理を実行することを特徴とする。


【手続補正９】
【補正対象書類名】明細書
【補正対象項目名】００１３
【補正方法】変更
【補正の内容】
【００１３】
本発明に係る第７の発明は、前記機器は、プリンタ装置，ファクシミリ装置，デジタル複写装置，スキャナ装置，デジタルカメラ装置，モデム装置を含むことを特徴とする。


【手続補正１０】
【補正対象書類名】明細書
【補正対象項目名】００１４
【補正方法】変更
【補正の内容】
【００１４】
本発明に係る第８の発明は、前記出力工程は、画像編集した画像情報あるいはいずれかの機器から入力された画像情報を他の機器に出力することを特徴とする。
本発明に係る第９の発明は、通信媒体上に接続された各種の機器とデータ通信可能なデータ処理装置を制御するコンピュータが読み出し可能なプログラムを格納した記憶媒体であって、所望の機器に対する特定の画像処理条件を設定する第１の設定工程と、前記データ処理装置で実行可能な特定の画像処理条件を設定する第２の設定工程と、前記第１，第２の設定工程による各特定の画像処理条件に基づいていずれかの機器から入力される画像情報に対して特定の画像編集処理を実行する画像処理工程と、前記画像処理工程により画像処理された画像情報をいずれかの機器から出力させる出力工程とを有することを特徴とするコンピュータが読み出し可能なプログラムを記憶媒体に格納したことを特徴とする。
本発明に係る第１０の発明は、前記画像処理工程は、前記第２の設定工程により設定される特定の画像処理条件に基づいて各種の機器から入力される画像データに対してイメージエフェクト編集処理，スタンプ付加編集処理を含む特定の画像処理を実行することを特徴とする。
本発明に係る第１１の発明は、前記機器は、プリンタ装置，ファクシミリ装置，デジタル複写装置，スキャナ装置，デジタルカメラ装置，モデム装置を含むことを特徴とする。
本発明に係る第１２の発明は、前記出力工程は、画像編集した画像情報あるいはいずれかの機器から入力された画像情報を他の機器に出力することを特徴とする。
本発明に係る第１３の発明は、通信媒体上に接続された各種の機器とデータ通信可能なデータ処理装置であって、前記機器にて実行可能な拡張機能に関する情報を、前記データ通信路を介して取得する取得手段と、前記取得手段により取得される前記情報に基づいて、表示装置の表示画面の第１の領域に、前記機器にて実行可能な前記拡張機能に対応する第１の機能ボタンを表示させる表示制御手段とを有し、前記表示制御手段は、前記機器にて実行可能な拡張機能に対応する第１の機能ボタンと共に、前記データ処理装置にて実行可能な機能に対応する第２の機能ボタンを、前記表示画面の前記第１の領域に配列表示させることを特徴とする。
本発明に係る第１４の発明は、前記第１の機能ボタン及び前記第２の機能ボタンを含む複数の機能ボタンの前記表示画面の前記第１の領域における配列順序を変更する変更手段をさらに有することを特徴とする。
本発明に係る第１５の発明は、通信媒体上に接続された各種の機器とデータ通信可能なデータ処理装置におけるデータ処理方法であって、前記機器にて実行可能な拡張機能に関する情報を、前記データ通信路を介して取得する取得工程と、前記取得工程において取得される前記情報に基づいて、表示装置の表示画面の第１の領域に、前記機器にて実行可能な前記拡張機能に対応する第１の機能ボタンを表示させる表示制御工程とを有し、前記表示制御工程は、前記機器にて実行可能な拡張機能に対応する第１の機能ボタンと共に、前記データ処理装置にて実行可能な機能に対応する第２の機能ボタンを、前記表示画面の前記第１の領域に配列表示させることを特徴とする。
本発明に係る第１６の発明は、通信媒体上に接続された各種の機器とデータ通信可能なデータ処理装置を制御するコンピュータが読みと出し可能なプログラムを格納した記憶媒体であって、前記機器にて実行可能な拡張機能に関する情報を、前記データ通信路を介して取得する取得工程と、前記取得工程において取得される前記情報に基づいて、表示装置の表示画面の第１の領域に、前記機器にて実行可能な前記拡張機能に対応する第１の機能ボタンを表示させる表示制御工程とを有し、前記表示制御工程は、前記機器にて実行可能な拡張機能に対応する第１の機能ボタンと共に、前記データ処理装置にて実行可能な機能に対応する第２の機能ボタンを、前記表示画面の前記第１の領域に配列表示させることを特徴とするコンピュータが読み出し可能なプログラムを記憶媒体に格納したことを特徴とする。


【手続補正１１】
【補正対象書類名】明細書
【補正対象項目名】０３３６
【補正方法】変更
【補正の内容】
【０３３６】
【発明の効果】
以上説明したように、本発明によれば、機器に対して設定される画像処理条件とデータ処理装置本体に対して設定される画像処理条件とに基づいて機器から入力される画像情報に対して画像処理を施して、いずれかの機器から出力させるので、簡単な操作で、ネットワーク上の各機器を使用し、かつ、データ処理装置本体のアプリケーションによる画像処理を施した複合画像処理結果をユーザが意図する出力デバイスとなるいずれかの機器から出力させることができる。
また、機器にて実行可能な拡張機能に関する情報を、データ通信路を介して取得し、該取得される前記情報に基づいて、表示装置の表示画面の第１の領域に、前記機器にて実行可能な前記拡張機能に対応する第１の機能ボタンを表示させる場合、機器にて実行可能な拡張機能に対応する第１の機能ボタンと共に、前記データ処理装置にて実行可能な機能に対応する第２の機能ボタンを、前記表示画面の第１の領域に配列表示させるので、機器にて実行可能な拡張機能に対応する第１の機能ボタンと、前記データ処理装置にて実行可能な機能に対応する第２の機能ボタンとを関連性を操作する者が容易に視認できる操作環境を自在に構築できる等の効果を奏する。